(57)【特許請求の範囲】
【請求項１】
下面に吸込口を有し、側面に吹出口を設けた換気装置の本体と、この本体が装着される装着部および前記吹出口に連通する大径部からなる本体側接続口と、この本体側接続口に連通する小径部からなるダクト側接続口とを一体的に形成したアダプターと、このアダプター内に開閉自在に設けられる外風防止用シャッターとを備え、前記ダクト側接続口に前記外風防止用シャッターを軸支するように設けられる軸部と、この軸部より上部側に配設される外風防止用シャッターの前面側周辺が閉鎖時に当接するように前記ダクト側接続口の内壁端部に本体側接続口の大径部との境いとなる段部において本体側接続口に向かい略水平状に突出するように設けられる上部側遮へい壁と、前記軸部より下部側に配設される外風防止用シャッターの閉鎖時に背面側周辺が当接するようにダクト側接続口の内壁にダクト側に向かい断面が略くの字で水平状に突出する下部側遮へい壁とを設けた換気装置。
【請求項２】
外風防止用シャッターが閉鎖時に当接する上部側遮へい壁または下部側遮へい壁の当接面を樹脂で形成した請求項１記載の換気装置。
【請求項３】
外風防止用シャッターの閉鎖直前に当接するリブを上部側遮へい壁と外風防止用シャッター間に介在させた請求項１または２記載の換気装置。
【請求項４】
外風防止用シャッターを取り付ける軸部の近傍にばね性を有する当接突部を設けた請求項１、２または３記載の換気装置。
【発明の詳細な説明】
【０００１】
【発明の属する技術分野】
本発明は、天井等に本体を設置し、屋外と連通するダクトをアダプターを介して本体に接続する換気装置に関する。
【０００２】
【従来の技術】
近年、天井等に本体を設置し、屋外と連通するダクトをアダプターを介して本体に接続する換気装置に関する。
【０００３】
近年、天井等に本体を設置し、ダクトを介して屋外と連通し室内の汚染空気を屋外に排出する換気装置が普及している。
【０００４】
従来、この種の換気装置の一例として図９および図１０に示されるものが知られている。以下、その構成について図９および図１０を参照しながら説明する。
【０００５】
図に示すように、下面にグリル１０１で覆われる吸込口１０２を有し、側面に吹出口１０３を設けた箱状の本体１０４と、天井１０５内に取り付けられ本体１０４の吹出口１０３側が装着される装着部１０６および吹出口１０３に連通する大径部からなる本体側接続口１０７と、本体側接続口１０７に連通する小径部からなるダクト側接続口１０８とを一体的に形成したアダプター１０９と、アダプター１０９のダクト側接続口１０８内で軸１１０を介して開閉自在に設けられる外風防止用シャッター１１１と、外風防止用シャッター１１１が略垂直状態に閉鎖したときに、外風防止用シャッター１１１が当接する上部側遮へい壁１１２および下部側遮へい壁１１３を設け構成していた。
【０００６】
【発明が解決しようとする課題】
このような従来の換気装置では、外風防止用シャッター１１１が開放している運転時の状態では、小径部からなるダクト側接続口１０８の通風路内には上部側遮へい壁１１２が突出し、通風路１１４内を流れる気流の抵抗となって風力損失を生じるという課題があり、風力損失を生じないようにすることが要求されている。
【０００７】
また、外風防止用シャッター１１１が閉鎖時において、外風防止用シャッター１１１が、ダクト側接続口１０８内に設けた上部側遮へい壁１１２に当接し、大きな衝突音を発生するという課題があり、衝突音を緩和することが要求されている。
【０００８】
本発明は上記課題を解決するもので、風力損失が少なく、外風防止用シャッターの閉鎖時における衝突音を緩和することのできる換気装置を提供することを目的とする。
【０００９】
【課題を解決するための手段】
本発明の換気装置においては、下面に吸込口を有し、側面に吹出口を設けた換気装置の本体と、この本体が装着される装着部および前記吹出口に連通する大径部からなる本体側接続口と、この本体側接続口に連通する小径部からなるダクト側接続口とを一体的に形成したアダプターと、このアダプター内に開閉自在に設けられる外風防止用シャッターとを備え、前記ダクト側接続口に前記外風防止用シャッターを軸支するように設けられる軸部と、この軸部より上部側に配設される外風防止用シャッターの前面側周辺が閉鎖時に当接するように前記ダクト側接続口の内壁端部に本体側接続口の大径部との境いとなる段部において本体側接続口に向かい略水平状に突出するように設けられる上部側遮へい壁と、前記軸部より下部側に配設される外風防止用シャッターの閉鎖時に背面側周辺が当接するようにダクト側接続口の内壁にダクト側に向かい断面が略くの字で水平状に突出する下部側遮へい壁とを設けた構成としたものである。
【００１０】
この本発明によれば、風力損失の少ない換気装置を提供することができる。
【００１１】
【発明の実施の形態】
本発明の請求項１に記載の発明は、下面に吸込口を有し、側面に吹出口を設けた換気装置の本体と、この本体が装着される装着部および前記吹出口に連通する大径部からなる本体側接続口と、この本体側接続口に連通する小径部からなるダクト側接続口とを一体に形成したアダプターと、このアダプター内に開閉自在に設けられる外風防止用シャッターとを備え、前記ダクト側接続口に前記外風防止用シャッターを軸支するように設けられる軸部と、この軸部より上部側に配設される外風防止用シャッターの前面側周辺が閉鎖時に当接するように前記ダクト側接続口の内壁端部に本体側接続口の大径部との境いとなる段部において本体側接続口に向かい略水平状に突出するように設けられる上部側遮へい壁と、前記軸部より下部側に配設される外風防止用シャッターの閉鎖時に背面側周辺が当接するようにダクト側接続口の内壁にダクト側に向かい断面が略くの字で水平状に突出する下部側遮へい壁とを設けた構成としたものであり、外風防止用シャッターが開放時には上部側遮へい壁および下部側遮へい壁はいずれも略水平方向に配設されることにより、アダプター内への突出量が少なくなり、アダプター内を通る空気流に対して与える抵抗が少なく風力損失を少なくすることができるという作用を有する。
【００１２】
以下、本発明の実施の形態について図１〜図８を参照しながら説明する。
【００１３】
（実施の形態１）
図１および図２に示すように、下面に吸込口１を有し、側面に吹出口２を設けた換気装置の本体３と、本体３が装着される装着部４および吹出口２に連通する大径部からなる本体側接続口５に連通する小径部からなるダクト６を接続するダクト側接続口７とを一体的に形成したアダプター８と、アダプター８内に開閉自在に設けられる外風防止用シャッター９とを設け、ダクト側接続口７に外風防止用シャッター９を軸支するように設けられる軸部１０と、軸部１０より上部側に配設される外風防止用シャッター９の前面９ａ周辺が閉鎖時に当接するようにダクト側接続口７の内壁端部に、本体側接続口５の大径部との境いとなる段部において本体側接続口５に向かい略水平状に突出するように上部側遮へい壁１１を設け、軸部１０より下部側に配設される外風防止用シャッター９の閉鎖時に背面９ｂの周辺が当接するようにダクト側接続口７の内壁にダクト６側に向かい断面が略くの字で水平状に突出する下部側遮へい壁１２を設け、ダクト６の接続されるアダプター８を天井１３に設けた開口１４より天井裏内に突出して設け、本体３を開口１４より天井裏内に挿入してアダプター８に本体３を結合し本体３を天井１３に取り付け、開口１４を覆うグリル１５を設けて構成する。
【００１４】
上記構成において、換気装置の運転時には、室内の汚染された空気がグリル１５を介して吸込口１より本体３内に吸い込まれ、送風機１６により吹出口２を介してアダプター８内に送られ、アダプター８内を空気が本体側接続口５側からダクト側接続口７側に流れ、外風防止用シャッター９は略水平状態に開放し、室内の汚染された空気が吸込口１より吸い込まれ吹出口２とアダプター８およびダクト６を通り室外に排出される。
【００１５】
そして、アダプター８のダクト側接続口７側に設けた上部側遮へい壁１１および下部側遮へい壁１２はいずれも略水平状態に配設されていることにより、空気流路内に大きく突出することがなくなり上部側遮へい壁１１および下部側遮へい壁１２による空気抵抗は少なくアダプター８内を流れる空気流の風力損失を少なくすることができる。
【００１６】
また、運転の停止時には、外風防止用シャッター９は自重により閉鎖し、外風防止用シャッター９の上部側の前面９ａ周辺が上部側遮へい壁１１に当接し、下部側の背面９ｂ周辺が下部側遮へい壁１２に当接し、外風が室内側に流入するのが防止される。
【００１７】
このように本発明の実施の形態１の換気装置によれば、下面に吸込口１を有し、側面に吹出口２を設けた換気装置の本体３と、本体３が装着される装着部４および吹出口２に連通する大径部からなる本体側接続口６に連通する小径部からなるダクト側接続口７とを一体的に形成したアダプター８と、アダプター８内に開閉自在に設けられる外風防止用シャッター９とを備え、ダクト側接続口７に外風防止用シャッター９を軸支するように設けられる軸部１０と、この軸部１０より上部側に配設される外風防止用シャッター９の前面９ａ側周辺が閉鎖時に当接するようにダクト側接続口７の内壁に本体側接続口５に向かい突出するように設けられる上部側遮へい壁１１と、軸部１０より下部側に配設される外風防止用シャッター９の閉鎖時に背面９ｂ側が当接するようにダクト側接続口７の内壁にダクト側に向かい突出する下部側遮へい壁１２とを設けたので、運転時に外風防止用シャッター９が開放し、アダプター８内に空気が流れるとき、上部側遮へい壁１１および下部側遮へい壁１２はいずれも略水平状態に形成されることにより、従来例に比較してアダプター８内を流れる空気流に対する抵抗が少なく風力損失を少なくすることができる。
【００１８】
（実施の形態２）
図３および図４に示すように、外風防止用シャッター９が閉鎖時に当接する下部側遮へい壁１２Ａの当接面１７を樹脂で形成した構成とする。
【００１９】
上記構成において、運転停止時に外風防止用シャッター９が自重により閉鎖したとき、外風防止用シャッター９の下部側の背面９ｂが下部側遮へい壁１２Ａの当接面１７に当接し、樹脂で形成した当接面１７により衝突時のシャッター音は緩和されることとなる。
【００２０】
このように本発明の実施の形態２の換気装置によれば、外風防止用シャッター９が閉鎖時に当接する上部側遮へい壁１１Ａまたは下部側遮へい壁１２Ａの当接面１７を樹脂で形成したので、外風防止用シャッター９の閉鎖時におけるシャッター音を緩和することができる。
【００２１】
なお、実施の形態２においては、樹脂で形成される当接面１７を下部側遮へい壁１２Ａに設けて説明したが、当接面１７を上部側遮へい壁１１Ａに設けても良いことはいうまでもない。
【００２２】
（実施の形態３）
図５および図６に示すように、外風防止用シャッター９Ａの閉鎖直前に上部側遮へい壁１１Ｂに当接する小面積のリブ１８を外風防止用シャッター９Ａに設けた構成とする。
【００２３】
上記構成において、換気装置の運転停止時に、外風防止用シャッター９Ａが自重により閉鎖したとき、閉鎖直前になると上部側遮へい壁１１Ｂに外風防止用シャッター９Ａの小面積のリブ１８が当接する。
【００２４】
このことにより上部側遮へい壁１１Ｂに対して小面積のリブ１８が当接し、当接時の衝突音は上部側遮へい壁１１Ｂ全体に当接した場合と比較して小音となる。
【００２５】
そして、外風防止用シャッター９Ａが閉鎖された状態で外風が外風防止用シャッター９Ａに吹き付けられると、軸部１０より下部の面積の大きい下部側の外風防止用シャッター９Ａが押圧され、てこ作用により外風防止用シャッター９Ａの上部側が上部側遮へい壁１１Ｂに押圧され、上部側遮へい壁１１Ｂおよび下部側遮へい壁１２Ｂに外風防止用シャッター９Ａが密接されて外風の浸入が防止されることとなる。
【００２６】
このように本発明の実施の形態３の換気装置によれば外風防止用シャッター９Ａの閉鎖直前に当接する小面積のリブを上部側遮へい壁と外風防止用シャッター９Ａ間に介在させた構成としたので、外風防止用シャッター９Ａの閉鎖時における衝突音を緩和することができる。
【００２７】
なお、実施の形態３によれば、リブ１８を外風防止用シャッター９Ａに設けた場合について説明したが、リブ１８は上部側遮へい壁１１Ｂ側に設けても良いことはいうまでもない。
【００２８】
（実施の形態４）
図７および図８に示すように、外風防止用シャッター９Ｂを取り付ける軸部１０Ａの近傍の下部側遮へい壁１２Ｂに、下部側遮へい壁１２Ｂの一部を切り起こし外風防止用シャッター９Ｂの閉鎖直前に当接するばね性を有する当接突部１９を設けた構成とする。
【００２９】
上記構成において、換気装置の運転停止時に外風防止用シャッター９Ｂが自重で閉鎖するとき、閉鎖直前の位置でばね性を有する当接突部１９に当接する。
【００３０】
このとき、外風防止用シャッター９Ｂがばね性を有する当接突部１９に当接することにより外風防止用シャッター９Ｂが下部側遮へい壁１２Ｂ全体に当接する場合と比較して衝突音が緩和されることとなる。
【００３１】
そして、外風防止用シャッター９Ｂが閉鎖された状態で外風が外風防止用シャッター９Ｂに吹き付けられると、軸部１０Ａより下部の面積の大きい下部側の外風防止用シャッター９Ｂが当接突部１９のばね性に抗して押圧され外風防止用シャッター９Ｂが下部側遮へい壁１２Ｂに密接されて外風の侵入が防止されることとなる。
【００３２】
このように本発明の実施の形態４の換気装置によれば、外風防止用シャッター９Ｂを取り付ける軸部１０Ａの近傍にばね性を有する当接突部１９を設けたので、外風防止用シャッター９Ｂは閉鎖直前にばね性を有する当接突部１９に衝突することにより外風防止用シャッター９Ｂの閉鎖時における衝突音を緩和することができる。
【００３３】
【発明の効果】
以上の実施の形態から明らかなように、本発明によれば、下面に吸込口を有し、側面に吹出口を設けた換気装置の本体と、この本体が装着される装着部および前記吹出口に連通する大径部からなる本体側接続口と、この本体側接続口に連通する小径部からなるダクト側接続口とを一体的に形成したアダプターと、このアダプター内に開閉自在に設けられる外風防止用シャッターとを備え、前記ダクト側接続口に前記外風防止用シャッターを軸支するように設けられる軸部と、この軸部より上部側に配設される外風防止用シャッターの前面側周辺が閉鎖時に当接するように前記ダクト側接続口の内壁端部に本体側接続口の大径部との境いとなる段部において本体側接続口に向かい略水平状に突出するように設けられる上部側遮へい壁と、前記軸部より下部側に配設される外風防止用シャッターの閉鎖時に背面側周辺が当接するようにダクト側接続口の内壁にダクト側に向かい断面が略くの字で水平状に突出する下部側遮へい壁を設けたので、アダプターの通風路内に突出する遮へい壁の突出量が小さくなり、風力損失を少なくでき性能への悪化の影響を小さくすることができる換気装置を提供できる。
【００３４】
また、外風防止用シャッターが閉鎖時に当接する上部側遮へい壁または下部側遮へい壁の当接面を樹脂で形成したので、外風防止用シャッターが閉鎖時のシャッター音を緩和することができる。
【００３５】
また、外風防止用シャッターの閉鎖直前に当接するリブを上部側遮へい壁と外風防止用シャッター間に介在させたので、外風防止用シャッターが閉鎖するときに、アダプターに設けた上部側遮へい壁への接触する面積を小さくしてシャッター音を緩和することができる。
【００３６】
また、外風防止用シャッターを取り付ける軸部の近傍にばね性を有する当接突部を設けたので、外風防止用シャッターの閉鎖時におけるシャッター音を緩和することができるとともに、外風が入り込んできた場合には、風圧によりばね性を有する当接突起が押圧されて密閉し、外風の侵入を防止することができる。
【図面の簡単な説明】
【図１】本発明の実施の形態１の換気装置の設置時の状態を示す断面図
【図２】同換気装置のアダプターの断面図
【図３】本発明の実施の形態２の換気装置のアダプターの断面図
【図４】同換気装置のアダプターの背面図
【図５】本発明の実施の形態３の換気装置のアダプターの断面図
【図６】同換気装置のアダプターの背面図
【図７】本発明の実施の形態４の換気装置のアダプターの断面図
【図８】同換気装置のアダプターの背面図
【図９】従来の換気装置の設置状態を示す断面図
【図１０】同換気装置のアダプターの断面図
【符号の説明】
１    吸込口
２    吹出口
３    本体
４    装着部
５    本体側接続口
６    ダクト
７    ダクト側接続口
８    アダプター
９    外風防止用シャッター
９Ａ  外風防止用シャッター
９Ｂ  外風防止用シャッター
９ａ  前面
９ｂ  背面
１０  軸部
１０Ａ  軸部
１１    上部側遮へい壁
１１Ａ  上部側遮へい壁
１１Ｂ  上部側遮へい壁
１２    下部側遮へい壁
１２Ａ  下部側遮へい壁
１７    当接面
１８    リブ
１９    当接突部
【図１】
0003839689.tif 000002
【図２】
0003839689.tif 000003
【図３】
0003839689.tif 000004
【図４】
0003839689.tif 000005
【図５】
0003839689.tif 000006
【図６】
0003839689.tif 000007
【図７】
0003839689.tif 000008
【図８】
0003839689.tif 000009
【図９】
0003839689.tif 000010
【図１０】
0003839689.tif 000011